(57)【要約】  電気療法を用いて痔の炎症を軽減するための装置は、ユーザの肛門に所定深さ挿入可能なカプセルと、電源表示と電源ボタンを備える制御装置とを備え、制御装置は、ユーザが治療セッションの強度と時間を制御するための調節手段を備える。装置は、制御装置をカプセルに接続するケーブルをさらに備える。別の実施形態では、装置は、ブルートゥース（登録商標）技術を実装し、制御装置からカプセルへ無線で指示を送信し、カプセルを作動させて、電気療法をユーザの肛門に提供してもよい。モバイル機器におけるモバイルアプリケーションが、カプセルを介してユーザに提供される電気療法を制御するために用いられてもよい。
2020525065.tif 000002
【特許請求の範囲】
【請求項１】
痔を緩和するための装置であって、
ユーザの肛門に挿入されるように構成されたカプセルと、
電気療法の強度の調節を伴うパッチ状の制御装置部材と、
を備え、
前記カプセルは、痔を緩和するように構成された電気療法を提供する電極を備え、
前記カプセルは、肛門内で自身の位置を保つことが可能な形状を有し、
前記カプセルは、前記制御装置部材に無線で接続され、
前記制御装置部材は、前記ユーザの背に取り付けられるように構成され、
前記制御装置部材は、前記ユーザの肛門内に前記カプセルによって提供される前記電気療法の強度を制御し、
モバイル機器にダウンロード可能なソフトウェアプログラムが前記電気療法を調節するために用いられ、
前記モバイル機器は、前記制御装置部材とは別個の部品であることを特徴とする、装置。
【請求項２】
前記カプセルによって提供される電気療法を調節するために、遠隔制御が用いられ、
前記遠隔制御により、前記電気療法の電源を入れたり切ったりすることを特徴とする、請求項１に記載の装置。
【請求項３】
前記制御装置部材の強度ボタン又はソフトウェアは、ユーザに提供される電気療法の強度を増加させたり減少させたりすることを特徴とする、請求項１に記載の装置。
【請求項４】
前記カプセル又は前記制御装置部材は電池を備えることを特徴とする、請求項１に記載の装置。
【請求項５】
前記強度ボタンは、デジタル形式又はアナログ形式であることを特徴とする、請求項１に記載の装置。
【請求項６】
前記制御装置部材は、ユーザの血圧、心拍、治療時間、又は体温を読み取るセンサを備えることを特徴とする、請求項１に記載の装置。
【請求項７】
前記カプセルは、有線接続を用いて前記制御装置部材と接続される、請求項１に記載の装置。
【請求項８】
前記制御装置部材は、ユーザの背に粘着剤を用いて取り付けられることを特徴とする、請求項１に記載の装置。
【請求項９】
前記制御装置部材は、ユーザの背にストラップを用いて取り付けられることを特徴とする、請求項１に記載の装置。
【発明の詳細な説明】
【技術分野】
【０００１】
本発明は痔の炎症を治療するための装置に関し、より詳細には、痔の炎症を軽減するために電気療法を用いるような装置に関する。
【背景技術】
【０００２】
従来、痔の緩和装置について幾つかの設計がなされている。しかし、それらはいずれも、制御装置に無線又は有線で接続され、ユーザの肛門に電気療法刺激を与えることで炎症およびそれに伴う不快症状を軽減することが可能な装置を含んでいない。
【０００３】
出願人は、関連文献として、マイナスのガルバニック電流を用いて痔疾患を治療するための方法、装置、およびシステムに関してＶａｓｃｕｌａｒ  Ｔｅｃｈｎｏｌｏｇｉｅｓ，Ｉｎｃ．によって出願された米国特許出願公開第２０１２００２９６０２号があると考えている。しかし、Ｖａｓｃｕｌａｒの文献は、ユーザによって肛門に対して保持されなければならない装置を教示しているため、本発明とは異なる。ユーザは、自身の手を自由に使えないが、その一方で、所望の位置に装置を維持しなければならないという煩わしさがあり、そうすることに関連した疲労を伴う。本発明は、ユーザの肛門に所定深さ挿入されるカプセルを作成することで、この未解決の課題に対処する。カプセルは制御装置に接続され、ユーザは装置の配置に影響を与えることなく刺激量を調節することができる。先行技術では、装置が炎症部位から取り外されてから調節が行われたであろう。
【０００４】
最も近い主題を記載している他の文献では、本課題を効率的で経済的な方法で解決することができない、より複雑又は複雑でない多くの特徴を提供している。これらの特許はいずれも本発明の新規な特徴を示唆していない。
【発明の概要】
【０００５】
本発明の主な目的の１つは、電気療法を用いて痔の炎症を軽減する装置を提供することである。
【０００６】
本発明の別の目的は、ハンズフリーの操作を可能にする、ユーザの肛門に挿入されるような装置を提供することである。
【０００７】
本発明のさらに別の目的は、ユーザによって決定される所望の強度に調節することができる、ユーザの肛門に挿入されるカプセルに有線又は無線で接続される制御装置を備えるような装置を提供することである。
【０００８】
本発明のさらに別の目的は、効率性を維持しながら、安価に実装および保持できるような装置を提供することである
【０００９】
本発明のさらなる目的は、本明細書の以下の部分に記載され、詳細な説明は、限定を加えることなく本発明を十分に開示することを目的とする。
【図面の簡単な説明】
【００１０】
上記及び他の関連する目的を考慮して、本発明は、添付の図面と組わせて読むと以下の説明からより十分に理解されるような構造および部品の組み合わせの詳細に基づく。
【図１】ユーザの背下部に取り付けられ、ユーザの肛門に挿入されるカプセルとケーブルを介して接続される制御装置を備える装置の正面図を示す。
【図２】ケーブル又は制御装置を図示しないカプセルの等角図を示す。
【図３】電気療法の強度および／又は時間およびリズムを調節するために使用される電源スイッチ、電源表示、タッチスクリーン・ディスプレイ、およびボタンを示す制御装置の正面図を示す。
【図４】制御モジュールが電気療法の強度を調節するためにタッチスクリーンの代わりに調節ダイヤルを備える、本発明の別の実施形態を示す。
【発明を実施するための形態】
【００１１】
図面を参照すると、本発明は概して符号１０で参照されるが、基本的には、制御装置アッセンブリ２０、接続手段４０、およびカプセルアッセンブリ６０を備える。図１、３および４に示すように、制御装置アッセンブリ２０は、例えば背下部のようなユーザの体の所定位置に取り付けられる制御装置部材２２を備える。制御装置部材２２は、ストラップ、粘着性ゲル、（ビニル樹脂としても知られている）メタクリル樹脂およびエポキシジアクリレートを含むアクリレート類、又は同様の手段を用いてユーザの体に取り付けることができる。制御装置部材２２は、複数のセンサおよび表示ディスプレイ２４をさらに備える。強度制御ボタン２５は、カプセルアッセンブリ６０に送信される電気療法の強度を増加又は減少させるために使用される。電源ボタン２７は、装置を作動させるためにも使用される。
【００１２】
モード制御ボタン２６は、電気療法がカプセル６０に送信されるリズムおよびパターンを変更するために使用される。表示ディスプレイ２４は、例えば、心拍、血圧、強度レベル、体温、治療時間等の様々な情報を提供することができる。これらの読み出しは、制御装置部材２２の内部に配置される対応するセンサを用いて行うことができる。
【００１３】
図４に示すように、制御装置アッセンブリ２０は、接続手段４０を用いてカプセルアッセンブリ６０に接続されている。カプセルアッセンブリ６０は、快適で気持ち良く挿入されることが可能なように、ユーザの肛門と協調するように構成された形状を有する。カプセルアッセンブリ６０は、痔の炎症のため緩和を必要とする領域と相互作用するため所定の長さと幅を有する。電気エネルギーは接続手段４０を用いてカプセル６０に送信されて、ユーザに電気療法を提供する。
【００１４】
制御装置部材２２は、電気エネルギーの源として機能する内部充電池を備える。一実施形態において、該電池は、制御装置部材２２のＵＳＢポートを用いて充電されてもよい。電池は、充電ドックを用いて充電されてもよい。一実施形態において、図４で示すように、強度ボタン２５は、ダイヤル１２５を用いるアナログ形式であってもよい。接続手段４０は、制御装置部材２２とカプセルアセンブリ６０との間の距離を繋げる長さを有する。
【００１５】
一実施形態において、ユーザは、モバイル機器におけるモバイルアプリケーションを用いて強度ボタン２５と電源ボタン２７を制御してもよい。モバイルアプリケーションを用いて、ユーザは、装置の電源を入れたり切ったりしてもよく、或いは、電気エネルギーの強度を増加又は減少させてもよい。また、表示ディスプレイ２４での読み出しは、モバイルアプリケーション上で表示されてもよい。別の実施形態では、接続手段４０は無線で、カプセル６０が自身の電池を備え、電気療法がカプセル６０において生じ、そこからユーザに直接提供されてもよい。この実施形態では、カプセル６０は、遠隔制御で又はユーザによって操作されるモバイルアプリケーションを介してブルートゥース（登録商標）送信機から指示を受信するブルートゥース（登録商標）受信機を備えていてもよい。
【００１６】
上述の説明により、本発明の目的および利点の最良の理解がもたらされる。様々な実施形態が本発明の発明概念から作られてもよい。ここに開示する全ての事項は単に例示的なものであると解釈されるべきであり、限定する意図ではない。
【産業上の利用可能性】
【００１７】
本発明の産業上の利用可能性は、パッチ状の制御装置を用いて不快感を有する領域を刺激することでユーザの痔を緩和する機能を有し、該制御装置は、電極を提供する治療を受けるユーザの肛門に挿入されるカプセルを介して装置によって提供される治療の強度を調節するために用いることができることである。
【図１】
2020525065.tif 000003
【図２】
2020525065.tif 000004
【図３】
2020525065.tif 000005
【図４】
2020525065.tif 000006
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
痔を緩和するための装置であって、
ユーザの肛門に挿入されるように構成されたカプセルと、
痔を緩和するように構成された電気療法の強度の調節のための強度ボタンを備えるパッチ状の制御装置部材と、
を備え、
前記カプセルは、電気療法を提供する電極を備え、
前記カプセルは、保持されることなく肛門内で維持されることが可能なデザインを有し、
前記カプセルは、前記パッチ状の制御装置部材に無線で接続され、
前記パッチ状の制御装置部材は、前記ユーザの肛門内に前記カプセルによって提供される前記電気療法の強度を調節し、
モバイル機器にダウンロード可能なソフトウェアプログラムが前記電気療法を調節するために用いられ、
前記モバイル機器が前記電気療法を調節するために用いられて、画面読み出しが行われ、前記カプセルへの電気療法が入れたり切ったりされ、
前記モバイル機器は、別個の部品である又は制御装置として機能することを特徴とする、装置。
【請求項２】
前記カプセルによって提供される電気療法を調節するために、遠隔制御が用いられ、
前記遠隔制御により、前記電気療法の電源を入れたり切ったりすることを特徴とする、請求項１に記載の装置。
【請求項３】
前記パッチ状の制御装置部材の強度ボタン又はソフトウェアは、ユーザに提供される電気療法の強度を増加させたり減少させたりすることを特徴とする、請求項１に記載の装置。
【請求項４】
前記カプセル又は前記制御装置部材は電池を備えることを特徴とする、請求項１に記載の装置。
【請求項５】
前記強度ボタンは、デジタル形式又はアナログ形式であることを特徴とする、請求項１に記載の装置。
【請求項６】
前記パッチ状の制御装置部材は、ユーザの血圧、心拍、治療時間、又は体温を読み取るセンサを備えることを特徴とする、請求項１に記載の装置。
【請求項７】
前記カプセルは、有線又は無線接続によって前記パッチ状の制御装置部材と接続される、請求項１に記載の装置。
【請求項８】
前記カプセルは、モバイル機器におけるモバイルアプリケーションを用いて無線で制御されることを特徴とする、請求項１に記載の装置。
【請求項９】
前記パッチ状の制御装置部材は、モバイル機器におけるモバイルアプリケーションを用いて無線で制御されることを特徴とする、請求項１に記載の装置。
【請求項１０】
前記制御装置は、遠隔制御により無線で制御されることを特徴とする、請求項１に記載の装置。
【国際調査報告】
2020525065.tif 000007